(57)【要約】      （修正有）【課題】複数の部材間に生じる隙間を防止できる携帯端末および携帯端末の製造方法を提供する。【解決手段】携帯端末１０は、底面２１と、底面２１に対して入隅２２を介して交差する壁面２３と、底面２１に対して交差するとともに壁面２３の方向を向く第１押付面２５および第２押付面２６とを備える筐体１１と、底面２１に対面する第４の面と、前記第４の面に対して出隅を介して交差する第５の面と、裏面に対して交差するとともに第１押付面２５および第２押付面２６と摺接する第１被押付面および第２被押付面３５とを備える化粧パネル１２とを有する。【選択図】図２
2008219740.tif 000002
【特許請求の範囲】
【請求項１】
第１の面と、前記第１の面に対して入隅を介して交差する第２の面と、前記第１の面に対して交差するとともに前記第２の面の方向を向く第３の面とを備える筐体と、
前記第１の面に対面する第４の面と、前記第４の面に対して出隅を介して交差する第５の面と、前記第４の面に対して交差するとともに前記第３の面と摺接する第６の面とを備える板状部材とを有することを特徴とする携帯端末。
【請求項２】
前記第２の面に設けられた凹部と、前記第５の面に設けられた前記凹部に係合する凸部と、前記第４の面に設けられ前記第５の面に対して交差する方向に連続するリブと、前記第１の面に設けられて前記リブを収容する溝と、
前記筐体に前記板状部材を取り付けたときに前記板状部材を前記第２の面に向かって押す押付部と、
前記筐体に前記板状部材を取り付けたときに前記筐体と前記板状部材との積層状態を維持する係合部とを有することを特徴とする請求項１に記載の携帯端末。
【請求項３】
前記押付部が、前記リブに設けられた切欠と、前記溝内に設けられ前記切欠と係合する突起部とからなることを特徴とする請求項２に記載の携帯端末。
【請求項４】
前記切欠における前記第５の面側の切欠面が前記リブの連続方向に対して所定の角度で交差するテーパ面であることを特徴とする請求項３に記載の携帯端末。
【請求項５】
筐体に設けられた第１の面に対して板状部材における前記第１の面に対面する第４の面を傾斜させておき、
前記第１の面に対して入隅を介して交差する第２の面に設けられた凹部に、前記第４の面に対して出隅を介して交差する第５の面に設けられて凸部を係合させた後、
前記第１の面と前記第４の面とが互いに近付くように前記筐体と前記板状部材とを相対的に回動させることにより、前記筐体と前記板状部材とに設けられた押付部により前記第２の面と前記第５の面とを接触させるとともに、前記筐体と前記板状部材とに設けられた係合部により前記筐体と前記板状部材との積層状態を維持させることを特徴とする携帯端末の製造方法。
【発明の詳細な説明】
【技術分野】
【０００１】
本発明は、筐体に板状部材が取り付けられた携帯端末および携帯端末の製造方法に関する。
【背景技術】
【０００２】
携帯電話などの携帯端末は、上部筐体および下部筐体が連結部を介して回動自在に連結され、上部筐体の表面に表示部（ＬＣＤ）および副操作部が設けられ、下部筐体の表面に入力キーおよび機能キーを多数備えた主操作部が設けられている。
この携帯電話のなかには、上部筐体や下部筐体にバッテリーカバーや化粧パネルが取り付けられたものがある。
【０００３】
筐体にバッテリーカバーを取り付ける係止手段のなかには、筐体の両側にそれぞれレールが設けられ、バッテリーカバーの両側にそれぞれリブが設けられたものがある。
この係止手段によれば、レールにリブを差し込み、差し込んだリブをレールに沿って摺動させ、バッテリーカバーの係合爪を筐体の嵌合凹部に係合させることで筐体にバッテリーカバーを係止させることができる（例えば、特許文献１参照）。
【特許文献１】特開２００１−１１８５５５号公報
【発明の開示】
【発明が解決しようとする課題】
【０００４】
しかし、特許文献１の係止手段は、筐体にバッテリーカバーを係止した状態において、各部材の寸法精度（寸法公差）や、各部材の組付精度（組付公差）などに起因して、筐体とバッテリーカバーとの間に隙間が生じやすい。
また、外部からの埃の侵入を防ぐ為、カバーの裏や筐体の上面に両面テープやクッションなどで異物の侵入を保護する場合があり、その場合レールに沿って横からのスライド方向のみでは両面テープが途中で貼り付いたり、クッションが引っ掛かったりしてカバーを取り付ける事が非常に困難である。
【０００５】
本発明は、前述した要望を満たすためになされたもので、その目的は、複数の部材間に生じる隙間を防止できる携帯端末および携帯端末の製造方法を提供することにある。
【課題を解決するための手段】
【０００６】
本発明の携帯端末は、第１の面と、前記第１の面に対して入隅を介して交差する第２の面と、前記第１の面に対して交差するとともに前記第２の面の方向を向く第３の面とを備える筐体と、前記第１の面に対面する第４の面と、前記第４の面に対して出隅を介して交差する第５の面と、前記第４の面に対して交差するとともに前記第３の面と摺接する第６の面とを備える板状部材とを有することを特徴とする。
【０００７】
筐体の第３の面に、板状部材の第６の面を摺接させることにより、筐体の第２の面に板状部材の第５の面を当接させた状態に保つことができる。
これにより、筐体の第２の面と板状部材の第５の面との間に隙間が発生することを防止できる。
【０００８】
また、本発明は、前記第２の面に設けられた凹部と、前記第５の面に設けられた前記凹部に係合する凸部と、前記第４の面に設けられ前記第５の面に対して交差する方向に連続するリブと、前記第１の面に設けられて前記リブを収容する溝と、前記筐体に前記板状部材を取り付けたときに前記板状部材を前記第２の面に向かって押す押付部と、前記筐体に前記板状部材を取り付けたときに前記筐体と前記板状部材との積層状態を維持する係合部とを有することを特徴とする。
【０００９】
リブが溝に収容されることにより、板状部材が第２の面方向に移動することを阻止することができる。
加えて、板状部材を筐体に取り付けるために、板状部材を回動する際に、リブが溝によって案内され、板状部材を円滑に筐体に取り付けることができる。
【００１０】
さらに、本発明は、前記押付部が、前記リブに設けられた切欠と、前記溝内に設けられ前記切欠と係合する突起部とからなることを特徴とする。
【００１１】
リブおよび溝は筐体に板状部材を取り付ける際に、板状部材の回動を案内する部材である。このリブに切欠を設けるとともに溝内に突起部を設け、切欠および突起部で押付部を構成した。
これにより、筐体に板状部材を取り付ける際に、板状部材を回動案内と同時に第２の面に向かって押し付けることができる。
【００１２】
また、本発明は、前記切欠における前記第５の面側の切欠面が前記リブの連続方向に対して所定の角度で交差するテーパ面であることを特徴とする。
【００１３】
切欠における第５の面側に、テーパ面となる切欠面を形成することで、板状部材を回動させた際に、切欠面を利用して切欠を突起部に円滑に係合させることができる。
【００１４】
さらに、本発明の携帯端末の製造方法は、筐体に設けられた第１の面に対して板状部材における前記第１の面に対面する第４の面を傾斜させておき、前記第１の面に対して入隅を介して交差する第２の面に設けられた凹部に、前記第４の面に対して出隅を介して交差する第５の面に設けられて凸部を係合させた後、前記第１の面と前記第４の面とが互いに近付くように前記筐体と前記板状部材とを相対的に回動させることにより、前記筐体と前記板状部材とに設けられた押付部により前記第２の面と前記第５の面とを接触させるとともに、前記筐体と前記板状部材とに設けられた係合部により前記筐体と前記板状部材との積層状態を維持させることを特徴とする。
【００１５】
第１の面と第４の面とが互いに近付くように筐体と板状部材とを相対的に回動させることで、筐体と板状部材とに設けられた押付部で第２の面と第５の面とを接触させることができる。
同時に、筐体と板状部材とに設けられた係合部で筐体と板状部材との積層状態を維持させることができる。
【発明の効果】
【００１６】
本発明の携帯端末および携帯端末の製造方法によれば、筐体に板状部材を取り付けた状態において、筐体の第２の面に板状部材の第５の面を当接させた状態に保つことで、筐体に板状部材の複数の部材間に生じる隙間を防止できるという効果を有する。
【発明を実施するための最良の形態】
【００１７】
以下、本発明の実施形態に係る携帯端末について、図面を参照して説明する。
図１〜図２に示すように、第１実施形態に係る携帯端末１０は、略矩形体状に形成され、表面１５に矩形状の係合凹部１６が設けられた筐体１１と、係合凹部１６に取り付け可能な化粧パネル（板状部材）１２と、化粧パネル１２の裏面１７（図４参照）を係合凹部１６に貼り付けるために化粧パネル１２の裏面に設けられた両面テープ１３とを備える。
【００１８】
筐体１１は、係合凹部１６の底面（第１の面）２１と、底面２１に対して入隅２２を介して交差する係合凹部１６の壁面（第２の面）２３と、底面２１に対して交差するとともに壁面２３の方向を向く第１押付面（第３の面）２５（図３（Ａ）も参照）と、底面２１に対して交差するとともに壁面２３の方向を向く第２押付面（第３の面）２６（図５参照）とを備える。
【００１９】
化粧パネル１２は、パネル本体２８が略矩形状に形成され、右辺に右側壁２９が形成されている。
図４に示すように、化粧パネル１２は、筐体１１の底面２１に対面するパネル本体２８の裏面（第４の面）１７と、裏面１７に対して出隅３１を介して交差する当接面（第５の面）３２とを備える。
【００２０】
また、図３に示すように、化粧パネル１２は、裏面１７に対して交差するとともに第１押付面２５と摺接する第１被押付面（第６の面）３４を備える。
さらに、図５に示すように、化粧パネル１２は、裏面１７に対して交差するとともに第２押付面２６と摺接する第２被押付面（第６の面）３５を備える。
【００２１】
図２に戻って、携帯端末１０は、筐体１１の壁面２３に設けられた一対の凹部３８と、パネル本体２８の当接面３２に設けられ、一対の凹部３８に係合する一対の凸部３９と、パネル本体２８の裏面１７に設けられ、当接面３２に対して交差する方向に連続するリブ３６と、筐体１１の底面２１に設けられてリブ３６を収容する溝３７と、筐体１１に化粧パネル１２を取り付けたときに化粧パネル１２を壁面２３に向かって押す押付手段４０と、筐体１１に化粧パネル１２を取り付けたときに筐体１１と化粧パネル１２との積層状態を維持する係合手段４２とを有する。
【００２２】
一対の凹部３８の一方が、筐体１１の先端部１１Ａ近傍に形成され、一対の凹部３８の他方が、筐体１１の基端部１１Ｂ近傍に形成されている。
一対の凸部３９の一方が、化粧パネル１２の先端部１２Ａ近傍に形成され、一対の凸部３９の他方が、化粧パネル１２の基端部１２Ｂ近傍に形成されている。
【００２３】
リブ３６は、化粧パネル１２の裏面１７のうち、先端部１２Ａ近傍から底面２１に向けて下向きに張り出され、化粧パネル１２の当接面３２から右側壁２９まで連続的に延出された突片である。
溝３７は、筐体１１の底面２１のうち、先端部１１Ａ近傍に形成され、筐体１１の壁面２３から右側部１１Ｃまで連続的に延出されてリブ３６を収容するものである。
【００２４】
リブ３６が溝３７に収容されることにより、化粧パネル１２が壁面２３方向に沿って移動することを阻止することができる。
加えて、化粧パネル１２を筐体１１に取り付けるために、化粧パネル１２を回動する際に、リブ３６が溝３７によって案内され、化粧パネル１２を円滑に筐体１１に取り付けることができる。
【００２５】
押付手段４０は、第１押付部（押付部）４５と、第２押付部（押付部）４６とからなる。
図３に示すように、第１押付部４５は、リブ３６に設けられた切欠４８と、溝３７内に設けられた第１突起部４９とからなる。第１突起部４９は、リブ３６が溝３７に収容された状態で切欠４８と係合する部位である。
【００２６】
図３（Ａ）に示すように、第１突起部４９は、第１押付面２５を有する。切欠４８は、第１被押付面３４を有する。
筐体１１に化粧パネル１２を取り付けたとき、第１押付面２５に第１被押付面３４が摺接されることにより、化粧パネル１２が壁面２３に向かって押し付けられる。
これにより、筐体１１に化粧パネル１２を取り付ける際に、化粧パネル１２を回動案内と同時に壁面２３に向かって押し付けることができる。
【００２７】
図３（Ｂ）に示すように、切欠４８には、当接面３２側の面（すなわち、第１被押付面）３４に切欠面５１が形成されている。切欠面５１は、リブ３６の連続方向に対して所定の角度で交差するテーパ面である。
【００２８】
第１被押付面３４にテーパ状の切欠面５１を設けることで、化粧パネル１２を回動させながら筐体１１に取り付ける際に、切欠面５１で第１押付面２５を第１被押付面３４に向けて円滑に案内できる。
よって、化粧パネル１２を回動させる際に、第１押付面２５を第１被押付面３４に確実に係合させることができる。
【００２９】
図２に戻って、第２押付部４６は、化粧パネル１２の裏面１７のうち、基端部１２Ｂ寄りに設けられた第２突起部５５と、筐体１１の底面２１のうち、基端部１１Ｂ寄りに設けられた凹み部５６とからなる。
凹み部５６は、筐体１１に化粧パネル１２を取り付けた状態で第２突起部５５と係合する部位である。
【００３０】
図５に示すように、凹み部５６は、第２押付面２６を有する。第２突起部５５は、第２被押付面３５を有する。
筐体１１に化粧パネル１２を取り付けたとき、第２押付面２６に第２被押付面３５が摺接する。これにより、化粧パネル１２を回動案内するとともに、化粧パネル１２を壁面２３に向かって押し付けることができる。
【００３１】
図２に戻って、係合手段４２は、第１係合部（係合部）６１と、第２係合部（係合部）６２と、第３係合部（係合部）６３からなる。
第１係合部６１は、化粧パネル１２の右側壁２９のうち、先端部１２Ａに設けられた第１突片６４と、筐体１１の底面２１のうち、先端部に設けられた第１凹み６５とからなる。
【００３２】
第２係合部６２は、化粧パネル１２の右側壁２９のうち、中央部１２Ｃに設けられた第２突片６６と、筐体１１の底面２１のうち、中央部に設けられた第２凹み６７とからなる（図４も参照）。
第３係合部６３は、化粧パネル１２の右側壁２９のうち、基端部１２Ｂに設けられた第３突片６８と、筐体１１の底面２１のうち、基端部に設けられた第３凹み６９とからなる（図５、図６も参照）。
【００３３】
筐体１１に化粧パネル１２を取り付けたときに、第１突片６４が第１凹み６５に係合する。同時に、図４（Ｃ）に示すように、第２突片６６が第２凹み６７に係合するとともに、図５（Ｃ）および図６（Ｂ）に示すように、第３突片６８が第３凹み６９に係合する。
これにより、筐体１１と化粧パネル１２とを積層状態を維持することができる。
【００３４】
つぎに、携帯端末１０の製造方法を図４〜図６に基づいて説明する。
まず、筐体１１に設けられた係合凹部１６の底面２１に対して、化粧パネル１２の裏面１７を傾斜させることにより一対の凸部３９を壁面２３に設けられた一対の凹部３８に差し込んで係合させる（図５（Ｂ）参照）。
【００３５】
ついで、図４（Ｂ）、図５（Ｂ）に示すように、底面２１と裏面１７とが互いに近付くように、筐体１１と化粧パネル１２とを相対的に回動させる。
すなわち、化粧パネル１２の右側壁２９が筐体１１に近付くように、一対の凸部３９を支点として回動する。
【００３６】
よって、筐体１１と化粧パネル１２とに設けられた第１押付部４５および第２押付部４６により壁面２３と当接面３２とを接触させる。
具体的には、化粧パネル１２の右側壁２９が筐体１１に近付くように、一対の凸部３９を支点として回動させることで、第１押付部４５の第１押付面２５に第１被押付面３４が摺接されるとともに、第２押付部４６の第２押付面２６に第２被押付面３５が摺接される。
【００３７】
これにより、化粧パネル１２が壁面２３に向かって押し付けられる（図４（Ｃ）、図５（Ｃ）参照）。
すなわち、第１押付部４５および第２押付部４６で、壁面２３と当接面３２とを接触（当接）させた状態に保つ。
これにより、筐体１１の壁面２３と化粧パネル１２の当接面３２との間に隙間が発生することを防止できる。
【００３８】
そして、第１押付部４５および第２押付部４６により壁面２３と当接面３２とを接触させるとともに、筐体１１と化粧パネル１２とに設けられた第１係合部６１と、第２係合部６２（図４参照）と、第３係合部６３（図５、図６参照）により筐体１１と化粧パネル１２との積層状態を維持させる。
【００３９】
具体的には、筐体１１に化粧パネル１２を取り付けたときに、第１突片６４が第１凹み６５に係合する。同時に、図４（Ｃ）に示すように、第２突片６６が第２凹み６７に係合するとともに、図５（Ｃ）、図６（Ｃ）参照に示すように、第３突片６８が第３凹み６９に係合する。
【００４０】
よって、筐体１１と化粧パネル１２とを積層状態を維持することができる。
この状態において、化粧パネル１２の裏面１７が両面テープ１３（図２、図６参照）で係合凹部１６（底面２１）に貼り付けられる。
これにより、携帯端末１０の製造工程が完了する。
【００４１】
筐体１１の底面２１と化粧パネル１２の裏面１７とが互いに近付くように筐体１１と化粧パネル１２とを相対的に回動させることで、筐体１１と化粧パネル１２とに設けられた第１押付部４５および第２押付部４６で壁面２３と当接面３２とを接触させることができる。
同時に、筐体１１と化粧パネル１２とに設けられた第１係合部６１、第２係合部６２、第３係合部６３で筐体１１と化粧パネル１２との積層状態を維持させることができる。
【００４２】
前記実施形態で例示した筐体１１や化粧パネル１２など部材の形状は適宜変更が可能である。
また、前記実施形態では、板状部材として化粧パネル１２を例示したが、これに限らないで、バッテリーカバーなどの他の部材に適用することも可能である。
【産業上の利用可能性】
【００４３】
本発明は、筐体に板状部材が取り付けられた携帯端末および携帯端末の製造方法への適用に好適である。
また、装置携帯電話機、ＰＤＡ、モバイル型のＰＣ、ノート型ＰＣなどの小型電子機器に適用するのに好適である。
【図面の簡単な説明】
【００４４】
【図１】本発明に係る携帯端末を示す斜視図である。
【図２】本発明に係る携帯端末を示す分解斜視図である。
【図３】（Ａ）は図１の３−３線において筐体と化粧パネルとを分解した状態を示す断面図、（Ｂ）は（Ａ）のＢ部拡大図である。
【図４】（Ａ）は図１の４−４線において筐体と化粧パネルとを分解した状態を示す断面図、（Ｂ）は筐体に向けて化粧パネルを回動する状態を示す断面図、（Ｃ）は筐体に化粧パネルを取り付けた状態を示す断面図である。
【図５】（Ａ）は図１の５−５線において筐体と化粧パネルとを分解した状態を示す断面図、（Ｂ）は筐体に向けて化粧パネルを回動する状態を示す断面図、（Ｃ）は筐体に化粧パネルを取り付けた状態を示す断面図である。
【図６】（Ａ）は本発明に係る第３係合部が係合する前の状態を示す断面図、（Ｂ）は本発明に係る第３係合部が係合した状態を示す断面図である。
【符号の説明】
【００４５】
１０  携帯端末
１１  筐体
１２  化粧パネル（板状部材）
１７  裏面（第４の面）
２１  底面（第１の面）
２２  入隅
２３  壁面（第２の面）
２５  第１押付面（第３の面）
２６  第２押付面（第３の面）
３１  出隅
３２  当接面（第５の面）
３４  第１被押付面（第６の面）
３５  第２被押付面（第６の面）
４５  第１押付部（押付部）
４６  第２押付部（押付部）
６１  第１係合部（係合部）
６２  第２係合部（係合部）
６３  第３係合部（係合部）
【図１】
2008219740.tif 000003
【図２】
2008219740.tif 000004
【図３】
2008219740.tif 000005
【図４】
2008219740.tif 000006
【図５】
2008219740.tif 000007
【図６】
2008219740.tif 000008